【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
管腔内人工器官であり、
長手方向に伸長しており且つその長さに沿って伸長している管腔を形成している内面、及び、外面を有している管状の移植片と、
該移植片に外周方向且つ長手方向に伸長する形態で取り付けられており、長手方向において互いに隔置された一連の巻きを有する細長い部材であって、該一連の巻きの各々が前記移植片の外周を周方向に伸長しており、更に当該細長い部材が、屈曲部によってある角度で相互に結合された複数の第一の筋かい状部と第二の筋かい状部とを備えており、該第一の筋かい状部の各々は、同じ巻き内に設けられている互いに隣接している屈曲部間を第一の方向に伸長しており、前記第二の筋かい状部の各々は、同じ巻き内に設けられている互いに隣接している屈曲部間を前記第一の方向とは異なる第二の方向に伸長している、細長い部材と、を備えており、
前記細長い部材は、前記移植片に、少なくとも周方向に取り付けられて該移植片を捩って、前記管腔内人工器官がほぼ真っ直ぐな状態にあるときに該移植片にかけられるトルクが、前記細長い部材の長手方向において互いに隣接している巻き同士の間に位置している該移植片の部分内に、周方向且つ長手方向に伸長している引っ張り折り目を生じさせ、該引っ張り折り目が、前記細長い部材の長手方向に隣接している巻きの対向する屈曲部間を伸長している、ことを特徴とする管腔内人工器官。
【請求項２】
管腔内人工器官であり、
長手方向に伸長しており且つその長さに沿って伸長している管腔を形成している内面、及び、外周を有している管状の移植片と、
該移植片に外周方向且つ長手方向に伸長する形態で取り付けられており、長手方向において互いに隔置された一連の巻きを有する細長い部材であって、該一連の巻きの各々が前記移植片の外周を周方向に伸長しており、更に、当該細長い部材がその少なくとも一部分に沿って所定の間隔で設けられている複数の個々の取り付け部材を備えている、細長い部材と、を備えており、
前記細長い部材は、前記移植片に、少なくとも周方向に取り付けられて該移植片を捩って前記管腔内人工器官がほぼ真っ直ぐな状態にあるときに該移植片にかけられるトルクが、前記細長い部材の長手方向において互いに隣接している巻き同士の間に位置している該移植片の部分内に、周方向且つ長手方向に伸長している引っ張り折り目を生じさせ、該引っ張り折り目が、前記細長い部材の長手方向に隣接している巻きの対向する取り付け部材間を伸長している、ことを特徴とする管腔内人工器官。
【請求項３】
前記移植片が、直径がほぼ均一な第一の部分を有している、ことを特徴とする請求項１又は２に記載の人工器官。
【請求項４】
前記移植片が、第二の部分を備えており、該第二の部分はその第一の端部に第一の開口部が設けられており且つ第二の端部に第二の開口部が設けられており、前記第二の開口部は前記第一の開口部よりも大きく、前記移植片の大きさは、前記第一の開口部から前記第二の開口部に向かう方向に増大しており、前記第一の部分と前記第二の部分とは互いに機械的に連結されている、ことを特徴とする請求項３に記載の人工器官。
【請求項５】
前記細長い部材が、前記移植片の前記第一の部分に対応する第一の部分と、前記移植片の前記第二の部分に対応する第二の部分とを備えており、前記細長い部材の前記第一の部分及び第二の部分内においては、前記第一の筋かい状部が前記第二の筋かい状部よりも長い、ことを特徴とする請求項１に従属する場合の請求項３又は４に記載の人工器官。
【請求項６】
前記細長い部材の第一の部分内においては、前記第一の筋かい状部と第二の筋かい状部との対間の各角度が実質的に同じである、ことを特徴とする請求項５に記載の人工器官。
【請求項７】
前記第二の部分においては、前記第一の筋かい状部の長さと前記第二の筋かい状部の長さとが、前記第二の部分の第一の端部から前記第二の端部に移るにつれて次第に増大しており、各屈曲部における角度が、前記第二の部分の前記第一の端部から前記第二の端部に向かう方向において順次増大している、ことを特徴とする請求項６に記載の人工器官。
【請求項８】
前記細長い部材の選択された巻き上の少なくとも１つの屈曲部が、長手方向において隣接している巻きの少なくとも１つの屈曲部とほぼ周方向に整合しており、前記細長い部材は、前記屈曲部のうちの少なくとも１つにおける角度が、前記細長い部材が弛緩され且つ取り付けられていない状態にあるときの第一の角度から、前記細長い部材が前記移植片に取り付けられているときの第二の角度まで、少なくとも部分的に圧縮されており、前記第二の角度は前記第一の角度よりも小さい、ことを特徴とする請求項５〜７のうちのいずれか一の項に記載の人工器官。
【請求項９】
前記細長い部材の巻きの各々の屈曲部の各々が、周方向において互いに整合されている、ことを特徴とする請求項８に記載の人工器官。
【請求項１０】
前記周方向及び長手方向に伸長している折り目が複数のセルを形成しており、該セルの各々が、第一の巻きと該第一の巻きに対して長手方向に隣接している第二の巻きとの各々に設けられている第一の取り付け部材と第二の取り付け部材との間を伸長している前記細長い部材の一部分を含む境界部と、前記第一の巻きと第二の巻きとの間に長手方向に且つ周方向に延びている２つのテンションがかけられている折り目とを有しており、各セルが、前記移植片がほぼ真っ直ぐな形状を有している第一の状態にあるときに前記境界部に配置される弛緩した折り目を含んでいる、ことを特徴とする請求項２に記載の人工器官。
【請求項１１】
前記周方向及び長手方向に伸長している折り目が複数のセルを形成しており、該セルの各々が境界部を有しており、該境界部が、第一の巻きと該第一の巻きに対して長手方向で隣接している第二の巻きとの第一の筋かい状部と第二の筋かい状部との対を有し、各セルが、前記移植片がほぼ真っ直ぐな形状を有している第一の状態にあるときに前記境界部内に配置される弛緩した折り目を含んでいる、ことを特徴とする請求項１に記載の人工器官。
【請求項１２】
前記移植片が、ほぼ真っ直ぐな第一の状態と、前記移植片が湾曲せしめられ外側半径と該外側半径よりも小さい内側半径とを有する第二の状態との間の形状をとることができ、、前記移植片が前記第一の状態にあるときに、前記管腔がほぼ円形の開口した断面領域を有しており、前記移植片が前記第二の状態にあるときに、少なくとも前記内側半径のまわりの複数のセルの各々内に配置されている前記移植片の部分が、弛緩した折り目に沿って内側へ少なくとも部分的に圧縮して、前記移植片内に、前記管腔の開存性を維持する複数の個々の局所化された折り目を形成するようになされている、ことを特徴とする請求項１０、１１のうちのいずれかの項に記載の人工器官。
【請求項１３】
管腔内人工器官用のプレフォームであり、
複数の屈曲部を備えている細長い部材であって、各屈曲部が一対の第一筋かい状部と第二の筋かい状部とをある角度で結合し、前記第一の筋かい状部の各々が互いに隣接している屈曲部間を第一の方向に伸長しており、前記第二の筋かい状部の各々は前記互いに隣接している屈曲部間を第二の方向に伸長しており、第一の筋かい状部と第二の筋かい状部との各対内で該第二の方向は前記第一の方向と異なっている、前記細長い部材を有し、
前記細長い部分の第１の部分が、第一の端部及び第二の端部を有しており、第一の筋かい状部と第二の筋かい状部との各対内で前記第一の筋かい状部の長さが前記第二の筋かい状部の長さよりも短く、前記第一の筋かい状部の長さと第二の筋かい状部の長さとが、前記第一の端部から前記第二の端部に向かう方向に次第に増大しており、弛緩状態における前記第一の筋かい状部と第二の筋かい状部との間の角度が、前記第一の端部から前記第二の端部へ向かう方向における順次の屈曲部で次第に増大していることを特徴とする管腔内人工器官用のプレフォーム。
【請求項１４】
前記第一の筋かい状部と第二の筋かい状部との長さが、前記第一の端部から前記第二の端部へ向かう方向において次第により少量ずつ増大している、ことを特徴とする請求項１３に記載のプレフォーム。
【請求項１５】
前記細長い部材が螺旋形状であるときに、前記第一の部分の他の屈曲部の各々が、長手方向において互いに隣接している屈曲部と周方向に整合している、ことを特徴とする請求項１３又は１４に記載のプレフォーム。
【請求項１６】
管腔内人工器官を作る方法であり、
近位端と遠位端と貫通して設けられている管腔とを有している生体適合性材料によって作られた管状の移植片を準備するステップと、
細長い部材であって、複数の屈曲部を備えており、各屈曲部が、第一の筋かい状部と第二の筋かい状部との対を前記移植片に取り付けられる前に第一の角度で結合しており、前記第一の筋かい状部の各々が互いに隣接している屈曲部間を第一の方向に伸長しており、前記第二の筋かい状部の各々が互いに隣接している屈曲部間を前記第一の方向と異なる第二の方向に伸長している、前記細長い部材を準備するステップと、
前記細長い部材を、前記移植片の外面に長手方向且つ周方向に沿って位置決めして複数のトルクがかけられた巻きを形成するステップと、
該細長い部材が前記移植片を少なくとも周方向に捩り、それにより、前記管腔内人工器官がほぼ真っ直ぐな状態にあるときに、前記細長い部材の長手方向に隣接している巻き同士の間に配置されている移植片の部分に、周方向及び長手方向に伸長している引っ張り折り目を形成させ、このとき、該引っ張り折り目が前記細長い部材の長手方向に互いに隣接している巻きの対向する屈曲部間に伸長するように、前記細長い部材を前記移植片に取り付けるステップと、を含む方法。
【請求項１７】
管腔内人工器官を作る方法であり、
近位端と遠位端と貫通して設けられている管腔とを有している生体適合性材料によって作られた管状の移植片を準備するステップと、
細長い部材であって、該細長い部材の少なくとも一部分に沿って所定の間隔で設けられている複数の個々の取り付け部材を備えている前記細長い部材を準備するステップと、
前記細長い部材を、前記移植片の外面に長手方向且つ周方向に沿って位置決めして複数のトルクがかけられた巻きを形成するステップと、
前記細長い部材を前記移植片に取り付けて、該細長い部材が前記移植片を少なくとも周方向に捩り、前記管腔内人工器官がほぼ真っ直ぐな状態にあるときに前記細長い部材の長手方向に隣接している巻き同士の間に配置されている移植片の部分に、周方向及び長手方向に伸長している引っ張り折り目を形成させ、このとき、該引っ張り折り目が前記細長い部材の長手方向に互いに隣接している巻きの対向する取り付け部材間に伸長するようにさせるステップと、を含む方法。
【請求項１８】
前記細長い部材が、前記移植片を周方向及び長手方向に捩っている、ことを特徴とする請求項１６又は１７に記載の方法。
【請求項１９】
前記細長い部材の少なくとも中心部分が、前記移植片に取り付けられる前に、実質的に単一の平らな平面内で形成され、前記細長い部材が前記移植片の周方向及び長手方向に沿って取り付けられたときに、前記細長い部材は弾性的に捩られた状態に拘束され、この場合に、前記移植片は、前記捩られた細長い部材によってかけられる力によって捩られる、ことを特徴とする請求項１８に記載の方法。
【請求項２０】
前記複数の第一の筋かい状部と第二の筋かい状部とが、前記移植片に取り付けられる前に第一の角度で結合されており、前記第一の筋かい状部の各々は、互いに隣接している屈曲部間において第一の方向に伸長しており、前記第二の筋かい状部の各々は、互いに隣接している屈曲部間において第二の方向に伸長しており、前記第二の方向は前記第一の方向と異なっており、
前記細長い部材が前記移植片の外面に長手方向及び周方向に沿って位置決めされると、前記細長い部材の他の屈曲部の各々が、前記長手方向で隣接している屈曲部とほぼ周方向に整合せしめられており、
前記細長い部材が前記移植片に取り付けられると、前記屈曲部の前記第一の角度が該第一の角度よりも小さい第二の角度まで圧縮され、
前記移植片は、前記圧縮された第二の角度を有する屈曲部によってかけられる力によって捩られる、ことを特徴とする請求項１６に記載されている場合の請求項１８に記載の方法。
【請求項２１】
前記細長い部材の少なくとも中心部分が、前記移植片に取り付けられる前に、実質的に単一の平らな平面内で形成され、前記細長い部材が前記移植片に周方向及び長手方向に沿って取り付けられたときに、前記細長い部材は弾性的に捩られた状態に拘束され、前記移植片は、前記捩られた細長い部材によってかけられる第一の力によって捩られ、
前記複数の第一の筋かい状部と第二の筋かい状部とが、前記移植片に取り付けられる前に第一の角度で結合されており、前記第一の筋かい状部の各々は、互いに隣接している屈曲部間を第一の方向に伸長しており、前記第二の筋かい状部の各々は、互いに隣接している屈曲部間を前記第一の方向と異なる第二の方向に伸長しており、
前記細長い部材が前記移植片の外面に長手方向及び周方向に沿って位置決めされると、前記細長い部材の他の屈曲部の各々が、前記長手方向に隣接している屈曲部とほぼ周方向に整合せしめられ、
前記細長い部材が前記移植片に取り付けられると、前記屈曲部の前記第一の角度が該第一の角度よりも小さい第二の角度まで圧縮され、
前記移植片はまた、前記圧縮された第二の角度を有する屈曲部によってかけられる第二の力によっても捩られる、ことを特徴とする請求項１６に記載されている場合の請求項１８に記載の方法。